(57)【要約】      （修正有）【課題】付加的な操作を行うことなく、信号伝送経路の電磁遮蔽を良好に行うことを可能とする電気コネクタを提供する。【解決手段】被接続対象物ＷＢにグランド接続されるシェル部材を、被接続対象物ＷＢと対面してコンタクト部材１３の全体を覆う第１シェル１２ａと、接続対象物ＰＢと被接続対象物ＷＢとの間部分で第１シェル１２ａと対向する第２シェル１２ｂとから構成し、第１シェル１２ａ及び第２シェル１２ｂの各々に、接続対象物ＰＢ及び被接続対象物ＷＢの各グランド導電路に対するグランド接点部１２ａ１〜１２ｂ３を設け、第１シェル１２ａ及び第２シェル１２ｂによるグランド経路で信号伝送経路を挟んだ状態とし、信号伝送経路の電磁遮蔽を良好に行う構成としたものである。【選択図】図１６
2019110089.tif 000002
【特許請求の範囲】
【請求項１】
接続対象物に設けられた信号伝送路を、被接続対象物に設けられた信号導電路に電気的に接続するコンタクト部材と、
前記接続対象物に設けられたグランド伝送路を、前記被接続対象物に設けられたグランド導電路に電気的に接続するシェル部材と、
を備えた電気コネクタにおいて、
前記シェル部材は、
前記コンタクト部材の全体を覆うものであって、前記被接続対象物と対面する状態に配置される第１シェルと、
前記第１シェルに対向して配置され、前記接続対象物と前記被接続対象物との間に配置される第２シェルと、
を有し、
前記第１シェル及び第２シェルの各々が、前記接続対象物及び前記被接続対象物に設けられたグランド伝送路及びグランド導電路に接続される接続対象グランド接点部及び被接続対象グランド接点部をそれぞれ備えていることを特徴とする電気コネクタ。
【請求項２】
前記信号伝送路及びグランド導電路が、前記接続対象物及び被接続対象物の各々に複数列にわたって形成されているとともに、
前記接続対象グランド接点部及び被接続対象グランド接点部が、前記信号伝送路及びグランド導電路の配列方向に予め定められた間隔で複数個にわたって設けられたものであって、
前記接続対象グランド接点部同士の間隔、及び前記被接続対象グランド接点部同士の間隔が、前記信号伝送路により伝送される電気信号の周波数に基づいて定められていることを特徴とする請求項１記載の電気コネクタ。
【請求項３】
前記接続対象物が、平板状の両表面を有する信号伝送媒体からなり、当該信号伝送媒体の両表面に、前記グランド伝送路がそれぞれ形成されたものであって、
前記第１シェルの前記接続対象グランド接点部が、前記信号伝送媒体における両表面の一方に形成された前記グランド伝送路に接続されるとともに、
前記第２シェルの前記接続対象グランド接点部が、前記信号伝送媒体における両表面の他方に形成された前記グランド伝送路に接続される構成になされていることを特徴とする請求項１記載の電気コネクタ。
【請求項４】
前記接続対象物に設けられた前記信号伝送路が、当該接続対象物の両面に設けられた前記グランド伝送路により挟まれた状態に配置されていることを特徴とする請求項３記載の電気コネクタ。
【請求項５】
前記被接続対象物が、配線基板からなるものであって、
当該被接続対象物を構成する配線基板の両表面に、前記グランド導電路がそれぞれ形成されているとともに、
前記第１シェル及び前記第２シェルに設けられた前記被接続対象グランド接点部が、前記配線基板における両表面の一方に形成された前記グランド導電路に接続されることを特徴とする請求項１記載の電気コネクタ。
【請求項６】
前記配線基板に設けられた前記信号導電路が、当該配線基板の両表面に設けられた前記グランド導電路により挟まれた状態に配置されていることを特徴とする請求項５記載の電気コネクタ。
【請求項７】
前記第１シェルには、前記コンタクト部材が前記被接続対象物に接続される部分と対向する位置において、当該コンタクト部材の接続部分を視認可能な開口が設けられていることを特徴とする請求項１記載の電気コネクタ。
【請求項８】
前記接続対象物を構成している信号伝送媒体を保持するロック部材が設けられていることを特徴とする請求項３記載の電気コネクタ。
【発明の詳細な説明】
【技術分野】
【０００１】
本発明は、電気コネクタに関する。
【背景技術】
【０００２】
従来から、種々の電気機器等において、フレキシブルフラットケーブル（ＦＦＣ）やフレキシブルプリント基板（ＦＰＣ）などの信号伝送媒体等からなる接続対象物を、配線基板等の被接続対象物に対して電気的に接続する電気コネクタが広く採用されている。この種の電気コネクタは、例えば、配線基板（被接続対象物）の主面上に実装された状態で使用され、当該電気コネクタに設けられた挿入開口部から、信号伝送媒体（接続対象物）が内方に向かって挿入されることで、信号伝送媒体の信号導電路が、コンタクト部材を通して、配線基板の信号導電路に電気的に接続されるようになっている。
【０００３】
一方、近年の電子機器においては、伝送信号の高周波化や動作頻度の増大に伴って、電磁波の放射による電磁干渉が問題になって来ており、例えば、電子機器が正常な動作をできなくなったり、不安定になるおそれを生じている。そのため従来から、電気コネクタの外表面を覆うように導電性のシェル部材を装着し、当該シェル部材を介して、接続対象物（信号伝送媒体）のグランド導電路を、被接続対象物（配線基板）のグランド導電路に電気的に接続する事が行われているが、さらに、下記の特許文献に見られるように、接続対象物（信号伝送媒体）を電気コネクタに挿入した後、シールド部材を有するアクチュエータを操作することによって信号伝送路を閉塞状態としたり、電気コネクタの全体を導電性のカバーで覆うなどことによって、電磁遮蔽性を高める手段が採られている。
【０００４】
しかしながら、これら従来の電気コネクタでは、接続対象物（信号伝送媒体）を挿入した後に、付加的な操作や取付け作業を行う必要があることから、生産性の向上を図る上においての支障となっている。また、電磁遮蔽性についても、電磁波が外方に漏出するおそれが未だに解消されておらず、電磁環境の適合性を更に高める必要性がある。
【先行技術文献】
【特許文献】
【０００５】
【特許文献１】特開２０１４−２２５４１２号公報
【特許文献２】特開２００５−２６８０１８号公報
【発明の開示】
【発明が解決しようとする課題】
【０００６】
そこで本発明は、付加的な操作を行うことなく、信号伝送経路の電磁遮蔽を良好に行うことができるようにした電気コネクタを提供することを目的とする。
【課題を解決するための手段】
【０００７】
上記目的を達成するため請求項１にかかる発明では、接続対象物に設けられた信号伝送路を、被接続対象物に設けられた信号導電路に電気的に接続するコンタクト部材と、前記接続対象物に設けられたグランド伝送路を、前記被接続対象物に設けられたグランド導電路に電気的に接続するシェル部材とを備えた電気コネクタにおいて、前記シェル部材は、前記コンタクト部材の全体を覆うものであって、前記被接続対象物と対面する状態に配置される第１シェルと、前記第１シェルに対向して配置され、前記接続対象物と前記被接続対象物との間に配置される第２シェルとを有し、前記第１シェル及び第２シェルの各々が、前記接続対象物及び前記被接続対象物に設けられたグランド伝送路及びグランド導電路に接続される接続対象グランド接点部及び被接続対象グランド接点部をそれぞれ備えた構成が採用されている。
【０００８】
このような構成を備えた請求項１にかかる発明によれば、接続対象物及び被接続対象物に設けられたグランド伝送路及びグランド導電路と、シェル部材の第１シェルとにより形成されるグランド経路が、コンタクト部材の一方を覆うように配置されるとともに、接続対象物及び被接続対象物におけるグランド伝送路及びグランド導電路と、シェル部材の第２シェルとにより形成されるグランド経路が、コンタクト部材の他方を覆うように配置され、コンタクト部材により形成される信号伝送経路が、第１シェル及び第２シェルにより形成されるグランド経路によって挟まれた状態になされることから、信号伝送経路の電磁遮蔽がグランド経路によって良好に行われる。
【０００９】
このとき、請求項２にかかる発明のように、前記信号伝送路及びグランド導電路が、前記接続対象物及び被接続対象物の各々に複数列にわたって形成されているとともに、前記接続対象グランド接点部及び被接続対象グランド接点部が、前記信号伝送路及びグランド導電路の配列方向に予め定められた間隔で複数個にわたって設けられたものであって、前記接続対象グランド接点部同士の間隔、及び前記被接続対象グランド接点部同士の間隔が、前記信号伝送路により伝送される電気信号の周波数に基づいて定められていることが望ましい。
【００１０】
このような構成を備えた請求項２にかかる発明によれば、信号伝送経路の電磁遮蔽を良好に行いつつ、接続対象物のグランド伝送路に対する接続対象グランド接点部の接触圧が、適宜に調整される。
【００１１】
また、請求項３にかかる発明のように、前記接続対象物が、平板状の両表面を有する信号伝送媒体からなり、当該信号伝送媒体の両表面に、前記グランド伝送路がそれぞれ形成されたものであって、前記第１シェルの前記接続対象グランド接点部が、前記信号伝送媒体における両表面の一方に形成された前記グランド伝送路に接続されるとともに、前記第２シェルの前記接続対象グランド接点部が、前記信号伝送媒体における両表面の他方に形成された前記グランド伝送路に接続される構成になされていることが可能である。
【００１２】
さらに、請求項４にかかる発明のように、前記接続対象物に設けられた前記信号伝送路が、当該接続対象物の両面に設けられた前記グランド伝送路により挟まれた状態に配置されていることが可能である。
【００１３】
さらにまた、請求項５にかかる発明のように、前記被接続対象物が、配線基板からなるものであって、当該被接続対象物を構成する配線基板の両表面に、前記グランド導電路がそれぞれ形成されているとともに、前記第１シェル及び前記第２シェルに設けられた前記被接続対象グランド接点部が、前記配線基板における両表面の一方に形成された前記グランド導電路に接続されることが可能である。
【００１４】
加えて、請求項６にかかる発明のように、前記配線基板に設けられた前記信号導電路が、当該配線基板の両表面に設けられた前記グランド導電路により挟まれた状態に配置されていることが可能である。
【００１５】
また、請求項７にかかる発明のように、前記第１シェルには、前記コンタクト部材が前記被接続対象物に接続される部分と対向する位置において、当該コンタクト部材の接続部分を視認可能な開口が設けられていることが望ましい。
【００１６】
このような構成を備えた請求項７にかかる発明によれば、被接続対象物に対するコンタクト部材の接続部分の状態が、第１シェルの開口を通して目視により確認可能となる。
【００１７】
さらに、請求項８にかかる発明のように、前記接続対象物を構成している信号伝送媒体を保持するロック部材が設けられていることが可能である。
【発明の効果】
【００１８】
以上述べたように本発明にかかる電気コネクタは、被接続対象物に対してグランド接続されるシェル部材を、被接続対象物と対面する状態でコンタクト部材の全体を覆う第１シェルと、接続対象物と被接続対象物との間部分で第１シェルと対向する第２シェルとから構成し、それらの第１シェル及び第２シェルの各々に、接続対象物及び被接続対象物のグランド伝送路及びグランド導電路に接続される接続対象グランド接点部及び被接続対象グランド接点部をそれぞれ設け、コンタクト部材により形成される信号伝送経路を、第１シェル及び第２シェルにより形成されるグランド経路に挟まれた状態とすることで、信号伝送経路の電磁遮蔽をグランド経路によって良好に行う構成としたものであるから、付加的な操作を行うことなく信号伝送経路の電磁遮蔽を良好に行うことができる。
【図面の簡単な説明】
【００１９】
【図１】本発明の一実施形態にかかるリセプタクルコネクタを正面前方の斜め上方から表した外観斜視説明図である。
【図２】図１に示されたリセプタクルコネクタを平面後方の斜め上方から表した外観斜視説明図である。
【図３】図１及び図２に示されたリセプタクルコネクタの平面説明図である。
【図４】図１〜図３に示されたリセプタクルコネクタの正面説明図である。
【図５】図１〜図４に示されたリセプタクルコネクタの側面説明図である。
【図６】図１〜図５に示されたリセプタクルコネクタの底面説明図である。
【図７】図１〜図６に示されたリセプタクルコネクタの背面説明図である。
【図８】図４中のＶＩＩＩ−ＶＩＩＩ線に沿った断面を拡大して表した横断面説明図である。
【図９】図４中のＩＸ−ＩＸ線に沿った断面を拡大して表した横断面説明図である。
【図１０】図１〜図９に示されたリセプタクルコネクタに対して平板状の信号伝送媒体を挿入しようとしている状態を正面前方の斜め上方から表した外観斜視説明図である。
【図１１】図１０に示された状態から平板状の信号伝送媒体を電気コネクタに挿入した後の状態を表した外観斜視説明図である。
【図１２】図１１に示された平板状の信号伝送媒体の挿入状態を表した正面説明図である。
【図１３】図１２中のＸＩＩＩ−ＸＩＩＩ線に沿った断面を拡大して表した横断面説明図である。
【図１４】図１２中のＸＩＶ−ＸＩＶ線に沿った断面を拡大して表した横断面説明図である。
【図１５】図１２に示された平型状の信号伝送媒体が挿入された状態のリセプタクルコネクタを配線基板に実装した状態を表した正面説明図である。
【図１６】図１５中のＸＶＩ−ＸＶＩ線に沿った断面を拡大して表した横断面説明図である。
【図１７】本発明の他の実施形態にかかるリセプタクルコネクタを表した図９相当の横断面説明図である。
【発明を実施するための形態】
【００２０】
以下、各種電子機器の配線基板上に実装されるリセプタクルコネクタに本発明を適用した実施形態について、図面に基づき詳細に説明する。
【００２１】
図１〜図９に示されている本発明の一実施形態にかかるリセプタクルコネクタ１は、「被接続対象物」としての配線基板ＷＢ（図１５及び図１６参照）の主面上に配置される細長状の絶縁性部材からなるハウジング１１を有しているとともに、そのハウジング１１の外表面が、導電性部材からなるシェル部材１２により覆われている。
【００２２】
以下において、上述した配線基板ＷＢの主面が、水平に延在しているものとし、その配線基板ＷＢの主面に対して直交する方向を「コネクタ高さ方向」とするとともに、当該「コネクタ高さ方向」において、配線基板ＷＢの主面から離れる方向及び近付く方向をそれぞれ「上方向」及び「下方向」とする。また、ハウジング１１の細長状の延在方向を「コネクタ長手方向」とし、その「コネクタ長手方向」及び「コネクタ高さ方向」の双方向に直交する方向を「コネクタ幅方向」と呼ぶこととする。
【００２３】
［ハウジングについて］（図８及び図９を参照）
上述したハウジング１１の「コネクタ幅方向」における一端面には、後述するフレキシブルフラットケーブル（ＦＦＣ）やフレキシブルプリント基板（ＦＰＣ）などの平板状の「接続対象物」としての信号伝送媒体ＰＢが挿入される挿入開口部１１ａが、「コネクタ長手方向」に沿って細長スリット形状をなすように形成されている。ここで、これらの信号伝送媒体（ＦＦＣ又はＦＰＣ等）ＰＢ及び配線基板ＷＢは、上述したように、本発明における「接続対象物」及び「被接続対象物」に相当するものである。
【００２４】
また、ハウジング１１の外周面を形成している端面のうち、上述した挿入開口部１１ａが設けられている端面を、以下において「前端面」と呼び、その「前端面」に対して「コネクタ幅方向」の反対側の端面を「後端面」と呼ぶ。そして、信号伝送媒体（接続対象物）ＰＢの端末部分は、挿入開口部１１ａの「前方」から「後方」に向かって挿入され、その挿入開口部１１ａを通して挿入された信号伝送媒体ＰＢの端末部分は、挿入開口部１１ａから「後方」に向かって延出するようにハウジング１１に設けられた中空状の媒体差込通路１１ｂの内部に収容される。
【００２５】
［導電コンタクトについて］（図４〜図９を参照）
一方、上述したハウジング１１には、当該ハウジング１１の「コネクタ長手方向」に沿って、コンタクト部材としての複数の導電コンタクト（導電端子）１３が、所定のピッチ間隔をなして配列された状態で取り付けられている。これらの導電コンタクト１３は、必要な形状に折り曲げ形成された金属部材から構成されており、次に説明するように、当該導電コンタクト１３に設けられた信号接点部１３ａが、上述した媒体差込通路１１ｂの内部に張り出すように配置されている。
【００２６】
より具体的には、各導電コンタクト（導電端子）１３は、「コネクタ幅方向」に延在するように配置されており、当該導電コンタクト１３における延在方向（コネクタ幅方向）の略中央部分を構成している固定基部１３ｂが、上述したハウジング１１の後端部分に略水平に延在する状態で固定されている。その固定基部１３ｂから「後方」に延出している部分は、ハウジング１１の後端面から外方に突出した直後に、「下方」に向かって略直角に折り曲げられている。そして、その導電コンタクト１３が下方に延出している後端部分は、前述した配線基板（被接続対象物）ＷＢの主面に達したところで、再び「後方」に向かって略水平に折り曲げられた後に略水平に延出しており、その略水平に延出する部分が、信号接続端子部１３ｃになされている。その信号接続端子部１３ｃは、上述した配線基板ＷＢに形成された信号導電路ＷＢ１（図１６参照）に半田接合されるようになっている。このときの信号接続端子部１３ｃにおける半田接合は、複数の導電コンタクト１３に対して一括的に行うことが可能である。
【００２７】
なお、上述した配線基板（被接続対象物）ＷＢに設けられた信号導電路ＷＢ１は、特に図１６に示されているように、配線基板ＢＷの表裏両面（上下両面）に形成された上グランド導電路ＷＢ２及び下グランド導電路ＷＢ３の間に挟まれた状態に配置されており、前述した導電コンタクト１３の信号接続端子部１３ｃが、当該信号導電路ＷＢ１に半田接続される位置において、配線基板ＢＷの主面（上面）に露出する状態に形成されている。
【００２８】
また、導電コンタクト（導電端子）１３の固定基部１３ｂから「前方」に延出している部分は、上述した媒体差込通路１１ｂの内方に向かって片持ち状に延在する可動ビーム１３ｄになされている。その可動ビーム１３ｄは、当該可動ビーム１３ｄの後方に配置された固定基部１３ｂとの連結部分を中心として、上下方向に弾性変位可能になされている。そして、その可動ビーム１３ｄの延出方向の先端部分には、上述した信号接点部１３ａが下方に向かって山形状に突出する状態に設けられており、可動ビーム１３ｄの弾性変位に伴って上下方向に往復移動される構成になされている（図８を参照）。
【００２９】
この導電コンタクト（導電端子）１３に設けられた信号接点部１３ａは、上述したように媒体差込通路１１ｂの内部に挿入された信号伝送媒体（接続対象物）ＰＢに対して、上方から接触する配置関係になされており、そのような接触関係によって導電コンタクト１３が、信号伝送媒体ＰＢに対して電気的に接続されて、信号伝送経路が形成されるようになっている（図８、図１３〜図１４を参照）。
【００３０】
すなわち、信号伝送媒体（接続対象物）ＰＢには、特に図１３及び図１４に示されているように、当該信号伝送媒体ＰＢの板幅方向（コネクタ幅方向）に沿って複数本の信号伝送路（信号線）ＰＢ１が、予め定められた間隔をなして配列されているとともに、それらの信号伝送路ＰＢ１を上下両方から挟むようにして、上グランド伝送路（シールド線）ＰＢ２及び下グランド伝送路（シールド線）ＰＢ３が、適宜の絶縁部材を介して配置されている。そして、当該信号伝送媒体ＰＢの端末部分においては、上方の上グランド伝送路ＰＢ２が、絶縁部材とともに剥がされた状態になされており、それによって信号伝送路ＰＢ１が上方に露出されている。
【００３１】
一方、前述した複数の導電コンタクト（導電端子）１３の各々は、信号伝送媒体（接続対象物）ＰＢの板幅方向（コネクタ長手方向）に配列された複数の信号伝送路（信号線）ＰＢ１の各々に対応した位置に配置されている。そして、媒体差込通路１１ｂに対して信号伝送媒体ＰＢの挿入が完了した状態において、当該信号伝送媒体ＰＢの表面部分（図１３及び図１６の上面部分）に露出状態になされた信号伝送路ＰＢ１の各々が、導電コンタクト１３の信号接点部１３ａのそれぞれに対して下方から接触し、上述した可動ビーム１３ｄの弾性力に応じた接触圧をもって、電気的な接続が行われる構成になされている。
【００３２】
そして、このような導電コンタクト（導電端子）１３の各々との電気的な接続関係によって、信号伝送媒体（接続対象物）ＰＢの信号伝送路（信号線）ＰＢ１は、導電コンタクト１３を介して、配線基板（被接続対象物）ＢＷの信号導電路ＷＢ１に接続され、その結果、信号伝送媒体ＰＢから配線基板ＢＷに至る「信号伝送経路」が形成されるようになっている。
【００３３】
また、このような信号伝送媒体（接続対象物）ＰＢの端末部分においては、上述した信号伝送路（信号線）ＰＢ１が露出されている部分よりも、当該信号伝送路ＰＢ１の延在方向における奥側（図１３、図１４及び図１６の左方側）の部分における上グランド伝送路ＰＢ２が、剥がされることなく維持されている。そして、その上グランド伝送路ＰＢ２に対して、シェル部材１２の一部が上方から接触される構成になされている。さらに、信号伝送媒体ＰＢの裏面部分（図１３、図１４及び図１６の下面部分）においては、上述した下グランド伝送路（シールド線）ＰＢ３が、信号伝送路ＰＢ１の全長を覆った状態に維持されており、その下グランド伝送路ＰＢ３に対して、シェル部材１２の一部が下方から接触される構成になされている。これらの接触関係を、次に説明する。
【００３４】
［シェル部材について］
上述したようにハウジング１１の外表面を覆うように装着されたシェル部材１２は、薄厚状の金属部材の折り曲げ体から構成されており、ハウジング１１の上方部分を覆う第１シェルとしての上シェル１２ａと、ハウジング１１の下方部分を覆う第２シェルとしての下シェル１２ｂとから構成されている。これらの上シェル（第１シェル）１２ａ及び下シェル（第２シェル）１２ｂからなるシェル部材１２は、前述した信号伝送媒体（接続対象物）ＰＢに設けられた上グランド伝送路（シールド線）ＰＢ１及び下グランド伝送路（シールド線）ＰＢ３を、配線基板（被接続対象物）ＷＢの主面（図１６の上面）に形成された上グランド導電路ＷＢ２に対して電気的に接続する構成になされている。
【００３５】
［上シェルについて］
すなわち、シェル部材１２の上シェル（第１シェル）１２ａは、上述したようにハウジング１１の上面を覆うことによって、導電コンタクト（導電端子）１３の全体を上方から覆う状態に配置されている。当該上シェル１２ａの後端縁部（図１３、図１４及び図１６の左端部）は、前述した導電コンタクト１３の後方に位置する領域において下方に向かって略直角に折り曲げられている。この上シェル１２ａの後端に設けられた下方折り曲げ部分の下端縁部には、「コネクタ長手方向」に予め定められた間隔で、被接続対象グランド接点部として複数の上シェル後方グランド接続部１２ａ１，１２ａ１，・・・が設けられている。
【００３６】
これら複数の上シェル後方グランド接続部（被接続対象グランド接点部）１２ａ１の各々は、配線基板（被接続対象物）ＷＢの主面（図１６の上面）に形成された複数の上グランド導電路ＷＢ２に対応して設けられており、半田接合により電気的に接続されるようになっている。これらの複数の上シェル後方グランド接続部１２ａ１における半田接合は、全長において一括的に行うことが可能である。
【００３７】
また、上述した上シェル（第１シェル）１２ａの前端縁部分（図９、図１３、図１４及び図１６の左端部分）には、「コネクタ長手方向」に予め定められた間隔で、複数の上シェル前方グランド接続部（接続対象グランド接点部）１２ａ２，１２ａ２，・・・が設けられている。これらの各上シェル前方グランド接続部１２ａ２は、前述した上シェル１２の前端縁部分の一部を、下方に向かって折り曲げるようにして形成されている。その上シェル１２ａの前端部分に設けられた折り曲げ部分は、図９のように側面から見たときの形状が下方に向かって略山形状に突出するように形成されており、その側面視において略山形状をなす折り曲げ部分の頂点部が、前述した媒体差込通路１１ｂの内方に向かって張り出す上シェル前方グランド接続部１２ａ２になされている。
【００３８】
すなわち、上述したように上シェル（第１シェル）１２ａの前端縁部分に設けられた上シェル前方グランド接続部（接続対象グランド接点部）１２ａ２の各々は、前述した信号伝送媒体（接続対象物）ＰＢの端末部分に配置された上グランド伝送路（シールド線）ＰＢ２にそれぞれ対応した位置に配置されており、媒体差込通路１１ｂの内方に挿入された信号伝送媒体ＰＢの上グランド伝送路ＰＢ２に対して、上方から弾性的に接触する配置関係になされている。そして、このような接触関係によって、上シェル１２ａに設けられた上シェル前方グランド接続部１２ａ２が、信号伝送媒体ＰＢの上グランド伝送路ＰＢ２に対して電気的に接続されるようになっている。
【００３９】
このように上シェル（第１シェル）１２ａは、配線基板（被接続対象物）ＷＢの主面（上面）上に設けられた上グランド導電路ＷＢ２に接続される上シェル後方グランド接続部（被接続対象グランド接点部）１２ａ１を有しているとともに、信号伝送媒体（接続対象物）ＰＢの上面に設けられた上グランド伝送路ＰＢ２に接続される上シェル前方グランド接続部（接続対象グランド接点部）１２ａ２を備えている。そして、これらの各部の電気的な接続関係によって、信号伝送媒体ＰＢの上グランド伝送路ＰＢ２から、上シェル１２ａを介して、配線基板ＢＷの上グランド導電路ＷＢ２に至る「上グランド伝送経路」が形成されるようになっている。
【００４０】
ここで、上述したように上シェル（第１シェル）１２ａに設けられた各々の上シェル前方グランド接続部（接続対象グランド接点部）１２ａ２同士の間に形成された間隔は、導電コンタクト（導電端子）１３を含む信号導電経路により伝送される電気信号に対する十分な電磁遮蔽が得られるように、当該電気信号の周波数に基づいて決定されている。具体的には、上シェル前方グランド接続部１２ａ２同士の間に形成された間隔は、電気信号の波長の２０分の１以上の隙間ができないように設定されている。
【００４１】
このように、上シェル前方グランド接続部１２ａ２の配置間隔及び設置数を適宜な状態に構成することによって、信号伝送経路の電磁遮蔽を良好に行いつつ、信号伝送媒体（接続対象物）ＰＢの端末部分に配置された上グランド伝送路（シールド線）ＰＢ２に対する上シェル前方グランド接続部１２ａ２の接触圧が適宜に調整されるようになっている。
【００４２】
［下シェルについて］
また、上述したシェル部材１２のうちの下シェル（第２シェル）１２ｂは、ハウジング１１の底面部に対して取り付けられており、前述した媒体差込通路１１ｂの下面を構成する状態に配置された板状部材から形成されている。すなわち、この下シェル１２ｂは、上述した上シェル（第１シェル）１２ａに対して、導電コンタクト（導電端子）１３を挟んで下方から対面する状態に装着されており、媒体差込通路１１ｂの内部に挿入された信号伝送媒体（接続対象物）ＰＢの下面を構成している下グランド伝送路（シールド線）ＰＢ３に対して、下方から接触する配置関係になされている。
【００４３】
より具体的には、この下シェル（第２シェル）１２ｂには、「コネクタ長手方向」に予め定められた間隔で複数のシェルバネ１２ｂ１，１２ｂ１，・・・が設けられている。それらの各シェルバネ１２ｂ１は、下シェル１２ｂの一部を切り起こした状態で形成されており、当該下シェル１２ｂの前端部分から後方に向かって片持ち状に延出している。このような各シェルバネ１２ｂ１の後端部分（図１４及び図１６の右端部分）には、上方に向かって略山形状に張り出すシェルバネグランド接点部（接続対象グランド接点部）１２ｂ２が設けられている。
【００４４】
それらの各シェルバネグランド接点部１２ｂ２は、信号伝送媒体（接続対象物）ＰＢの下面に設けられた下グランド伝送路（シールド線）ＰＢ３に対応した位置に配置されており、媒体差込通路１１ｂの内部に挿入された信号伝送媒体ＰＢの下グランド伝送路ＰＢ３に対して、下方から接触することによってグランド接続状態になされるようになっている。
【００４５】
さらに、上述したシェルバネグランド接点部（接続対象グランド接点部）１２ｂ２を有する下シェル（第２シェル）１２ｂの後端部分（図１４及び図１６の右端部分）は、「下方」に向かって段差状に折り曲げられた後に略水平に延出しており、その略水平に延出する部分が、下シェル後方グランド接続部（被接続対象グランド接点部）１２ｂ３になされている。この下シェル後方グランド接続部１２ｂ３は、前述した配線基板ＢＷの主面上に形成された上グランド導電路ＷＢ２に対して半田接合され、それによってグランド接続状態になされる。
【００４６】
また、このような下シェル（第２シェル）１２ｂの前端部分に対して反対側の後端部分（図１４及び図１６の左端部分）においては、上述したシェルバネ１２ｂ１の後方に位置する部分が、「下方」に向かって段差状に折り曲げられており、その下方の段差から後方に向かって略水平に延出している部分が、配線基板（被接続対象）ＢＷの主面上に載置されるようになっている。
【００４７】
このように下シェル（第２シェル）１２ｂは、信号伝送媒体（接続対象物）ＰＢの下面に設けられた下グランド伝送路（シールド線）ＰＢ３に接続されるシェルバネグランド接点部（接続対象グランド接点部）１２ｂ２を備えているとともに、配線基板（被接続対象物）ＷＢの主面（上面）に設けられた上グランド導電路ＷＢ２に接続される下シェル後方グランド接続部（被接続対象グランド接点部）１２ｂ３を備えている。そして、これらの各部の電気的な接続関係によって、信号伝送媒体ＰＢの下グランド伝送路ＰＢ３から、下シェル１２ｂを介して、配線基板ＢＷの上グランド導電路ＷＢ２に至る「下グランド伝送経路」が形成されるようになっている。
【００４８】
ここで、上述したように下シェル（第２シェル）１２ｂに設けられた各々のシェルバネ１２ｂ１及びそれらの各シェルバネ１２ｂ１に設けられたシェルバネグランド接点部（接続対象グランド接点部）１２ｂ２同士の間に形成された間隔は、導電コンタクト（導電端子）１３を含む信号導電経路により伝送される電気信号に対する十分な電磁遮蔽が得られるように、当該電気信号の周波数に基づいて決定されている。具体的には、上シェル前方グランド接続部１２ａ２同士の間に形成された間隔は、電気信号の波長の２０分の１以上の隙間ができないように設定されている。
【００４９】
このように、シェルバネグランド接点部１２ｂ２の配置間隔及び設置数を適宜な状態に構成することによって、信号伝送経路の電磁遮蔽を良好に行いつつ、信号伝送媒体（接続対象物）ＰＢの端末部分に配置された下グランド伝送路（シールド線）ＰＢ３に対するシェルバネグランド接点部１２ｂ２の接触圧が適宜に調整されるようになっている。
【００５０】
また、上述したように配線基板（被接続対称物）ＢＷの主面（上面）に上グランド導電路ＷＢ２が形成されているが、特に図１６に示されているように、当該配線基板ＢＷの主面に対して反対側の裏面（下面）には下グランド導電路ＷＢ３が形成されている。そして、これらの上グランド導電路ＷＢ２と下グランド導電路ＷＢ３との間に、前述した信号導電路ＷＢ１が配置された構成になされている。すなわち、本実施形態における信号導電路ＷＢ１は、配線基板ＢＷを構成している樹脂基体の内部に埋設状態で設けられており、上グランド導電路ＷＢ２及び下グランド導電路ＷＢ３によって信号導電路ＷＢ１がシールドされた状態になされている。
【００５１】
このような構成を備えた本実施形態によれば、特に図１６に示されているように、上シェル（第１シェル）１２ａを介して、信号伝送媒体（接続対象物）ＰＢと配線基板（被接続対象物）ＷＢとの間に形成される「上グランド伝送経路（ＰＢ２−１２ａ２−１２ａ−１２ａ１−ＷＢ２）」が、コンタクト部材としての導電コンタクト（導電端子）１３の上方を覆うように配置されるとともに、下シェル（第２シェル）１２ｂを介して、信号伝送媒体ＰＢと配線基板ＷＢとの間に形成される「下グランド伝送経路（ＰＢ３−１２ｂ２−１２ｂ−１２ｂ３−ＷＢ２）」が、導電コンタクト１３の下方を覆うように配置される。
【００５２】
その結果、導電コンタクト１３を介して、信号伝送媒体ＰＢと配線基板ＷＢとの間に形成される「信号伝送経路（ＰＢ１−１３ａ−１３−１３ｃ−ＷＢ１）」が、上シェル（第１シェル）１２ａ及び下シェル（第２シェル）１２ｂを介して、上述した信号伝送媒体ＰＢと配線基板ＷＢとの間に形成される「上グランド伝送経路」及び「下グランド伝送経路」との間に挟まれた状態になされ、それら上下のグランド伝送経路によって信号伝送経路の電磁遮蔽が良好に行われる。
【００５３】
［ロック部材について］
一方、前述した上シェル（第１シェル）１２ａ及び下シェル（第２シェル）１２ｂにおける「コネクタ長手方向」の両端部分には、当該上シェル１２ａ及び下シェル１２ｂに一体的に形成されたロック部材１４，１４が一対設けられている。それらの各ロック部材１４は、上下方向に弾性的に揺動する片持ち状の可動板１４ａをそれぞれ有しており、それらの各可動板１４ａには、上述した媒体差込通路１１ｂに挿入された信号伝送媒体（接続対象物）ＰＢに係合する係止爪（図示省略）が各々設けられている（図２及び図３参照）。
【００５４】
一方、信号伝送媒体（接続対象物）ＰＢの端末部分には、特に図１０に示されているように、当該信号伝送媒体ＰＢの板幅方向（コネクタ長手方向）の両側端縁部分に、穴等の凹部からなる位置決め部ＰＢ４がそれぞれ形成されている。そして、図１１に示されているように、信号伝送媒体ＰＢが媒体差込通路１１ｂの内部に差し込まれた際に、上述したロック部材１４，１４の各係止爪が、信号伝送媒体ＰＢに設けられた位置決め部ＰＢ４に係合し、その位置決め部ＰＢ４に対する係止爪の係合作用によって信号伝送媒体ＰＢの挿入状態が保持されるようになっている。
【００５５】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５６】
例えば、上述した各実施形態では、上シェル（第１シェル）１２ａが、コンタクト部材としての導電コンタクト（コンタクト部材）１３の全長を覆う一体のカバー形状をなすように構成されているが、当該上シェル１２ａの一部を開放可能に構成することも可能である。より具体的には、図１７に示されているように、上シェル１２ａの後方部分、すなわち当該上シェル１２ａが導電コンタクト１３の信号接続端子部１３ｃに対向している部分を、上方に開放可能な可動カバー１２ａ３に構成しておき、その可動カバー１２ａ３を上方に跳ね上げるようにして開放状態とすることによって、上シェル１２ａの後方部分に、導電コンタクト１３の信号接続端子部１３ｃを視認可能な開口を設けるようにした構成が挙げられる。
【００５７】
このような構成を採用すれば、上シェル（第１シェル）１２ａの後端部分を半田接続する前の段階において、導電コンタクト（コンタクト部材）１３の信号接続端子部１３ｃを外方に露出させることが可能となり、配線基板（被接続対称物）ＢＷに対する導電コンタクト１３の接続状態が、上シェル１２ａの開口部分を通して上方から目視により確認可能となることによって、製造の品質を向上させることができる。
【００５８】
また、上述した各実施形態は、水平挿入型の電気コネクタに本発明を適用したものであるが、本発明はそれに限定されるものではなく、垂直挿入型の電気コネクタに対しても同様に適用することが可能である。
【００５９】
さらに、本発明にかかる電気コネクタは、上述した実施形態のようなフレキシブルフラットケーブル（ＦＦＣ）やフレキシブルプリント基板（ＦＰＣ）の接続を行うものに限定されることはなく、基板と基板、或いはケーブルと基板を電気的に接続する多種多様な電気コネクタに対しても本発明は同様に適用することができる。
【産業上の利用可能性】
【００６０】
以上のように本発明は、電気機器に使用される多種多様な電気コネクタに対して広く適用することが可能である。
【符号の説明】
【００６１】
１  リセプタクルコネクタ
１１  ハウジング
１１ａ  挿入開口部
１１ｂ  媒体差込通路
１２  シェル部材
１２ａ  上シェル（第１シェル）
１２ａ１  上シェル後方グランド接続部（被接続対象グランド接点部）
１２ａ２  上シェル前方グランド接点部（接続対象グランド接点部）
１２ａ３  可動カバー
１２ｂ  下シェル（第２シェル）
１２ｂ１  シェルバネ
１２ｂ２  シェルバネグランド接点部（接続対象グランド接点部）
１２ｂ３  下シェルグランド接続部（被接続対象グランド接点部）
１３  導電コンタクト（コンタクト部材）
１３ａ  信号接点部
１３ｂ  固定基部
１３ｃ  信号接続端子部
１３ｄ  可動ビーム
１４  ロック部材
１４ａ  可動板
ＰＢ  信号伝送媒体（接続対象物）
ＰＢ１  信号伝送路（信号線）
ＰＢ２  上グランド伝送路（シールド線）
ＰＢ３  下グランド伝送路（シールド線）
ＰＢ４  位置決め部
ＷＢ  配線基板（被接続対象物）
ＷＢ１  信号導電路
ＷＢ２  上グランド導電路
ＷＢ３  下グランド導電路
【図１】
2019110089.tif 000003
【図２】
2019110089.tif 000004
【図３】
2019110089.tif 000005
【図４】
2019110089.tif 000006
【図５】
2019110089.tif 000007
【図６】
2019110089.tif 000008
【図７】
2019110089.tif 000009
【図８】
2019110089.tif 000010
【図９】
2019110089.tif 000011
【図１０】
2019110089.tif 000012
【図１１】
2019110089.tif 000013
【図１２】
2019110089.tif 000014
【図１３】
2019110089.tif 000015
【図１４】
2019110089.tif 000016
【図１５】
2019110089.tif 000017
【図１６】
2019110089.tif 000018
【図１７】
2019110089.tif 000019